(57)【要約】【課題】スイッチの誤動作及びスイッチ操作部の誤操作を防止するとともに、スイッチ操作部の操作時にカバーが落下して作業者と接触することをなくす。【解決手段】スイッチ２には、スイッチレバー３０がスイッチ本体１０の上面１０ａに設けられるとともに、カバー３が取り付けられている。カバー３は、スイッチレバー３０を覆うことができる形状に形成されたカバー部４０を備えるとともに、スイッチレバー３０を覆うカバー位置とカバー位置より下方でスイッチレバー３０を開放する開放位置とにスライド可能である。また、スイッチ本体１０には、カバー位置と、開放位置とにカバー３をスライド移動可能にするガイドとしての段付きボルト１２が設けられている。【選択図】図１
2007305349.tif 000002
【特許請求の範囲】
【請求項１】
スイッチ操作部がスイッチ本体の上面に設けられたスイッチにカバーが取り付けられているカバー付スイッチであって、
前記カバーは、前記スイッチ操作部を覆うことができる形状に形成されるとともに、前記カバーが前記スイッチ操作部を覆うカバー位置と、前記カバー位置より下方で前記スイッチ操作部を開放する開放位置とに移動可能に設けられており、前記カバー又は前記スイッチ本体の少なくともいずれか一方には、前記カバーを前記カバー位置と前記開放位置とに移動可能に案内するガイドが設けられているカバー付スイッチ。
【請求項２】
前記カバーには、ガイド溝が設けられ、前記ガイドは、前記スイッチ本体に設けられ、前記ガイド溝は、前記ガイドが挿入された状態で、前記カバー位置と前記開放位置とに前記カバーを移動可能に形成されている請求項１に記載のカバー付スイッチ。
【請求項３】
前記ガイドは、段付きボルトである請求項２に記載のカバー付スイッチ。
【請求項４】
前記カバーの断面が略コ字状に形成され、前記カバーの上端に設けられ前記カバーの内側に向かって突出する係合部を備え、前記係合部は前記スイッチ操作部と干渉しない位置に設けられ、かつ前記カバーを前記カバー位置と前記開放位置とに保持可能となっている請求項１〜請求項３のいずれか一項に記載のカバー付スイッチ。
【請求項５】
前記スイッチ本体は、光センサ、ボタンスイッチ、レバースイッチのいずれかによって構成されている請求項１〜請求項４のいずれか一項に記載のカバー付スイッチ。
【請求項６】
前記カバーの内寸が、前記スイッチ本体の外寸と同じである請求項１〜請求項５のいずれか一項に記載のカバー付スイッチ。
【請求項７】
スイッチ操作部が上面に設けられているスイッチに取り付けられるスイッチ用カバーであって、
前記スイッチ操作部を覆うことができる形状に形成されたカバーと、前記カバーの一端に設けられ前記カバーの内側に向かって突出する係合部とを備え、前記カバーには、前記スイッチに設けられているガイドが挿入可能なガイド溝が設けられ、前記ガイド溝は、カバーが前記スイッチに取り付けられた状態において、前記ガイドと係合した状態で、前記スイッチ操作部を覆うカバー位置と前記スイッチ操作部を開放する開放位置とに前記カバーを移動可能に形成されているスイッチ用カバー。
【請求項８】
前記係合部は前記スイッチ操作部と干渉しない位置に設けられている請求項７に記載のスイッチ用カバー。
【発明の詳細な説明】
【技術分野】
【０００１】
本発明は、スイッチ操作部が上面に設けられたスイッチ本体を備えるスイッチにカバーが取り付けられているカバー付スイッチ及びそのカバーに関する。
【背景技術】
【０００２】
製品を製造する製造現場では、作業者が移動しながら操作することができるスイッチ操作部を備えたスイッチが実用化されている（非特許文献１参照）。非特許文献１に記載のスイッチ１００は、図４に示すように、オン／オフ信号を出力するスイッチ本体１０１を備え、スイッチ本体１０１の上面１０１ａに左右へ移動可能なスイッチ操作部としてのスイッチレバー１０２が突出している。そして、スイッチ１００は、製造装置に取り付けられ、作業者がスイッチレバー１０２を右方へ向かうように操作した時には、スイッチ１００がオン信号を出力する。スイッチレバー１０２は、作業者から操作されなくなると元の位置に戻り、オフ信号を出力する。
【０００３】
ところが、スイッチ１００は、スイッチレバー１０２が開放された状態で製造装置の通路側に配置されることがある。この場合、製造装置を作動させる必要がない時であるにも拘わらず作業者が誤ってスイッチレバー１０２を操作することや、搬送中の物がスイッチレバー１０２と接触してしまいスイッチ１００が誤動作する虞がある。
【０００４】
また、人や物が誤ってスイッチレバーに接触して、スイッチレバーが誤操作されることやスイッチが誤動作することを抑制するために、スイッチレバーの前面を覆うことができるカバーを設けたスイッチの保護構造が提案されている（特許文献１参照）。特許文献１に記載のスイッチの保護構造では、スイッチレバーを操作する必要がある時には、作業者がカバーを上方に持ち上げてスイッチレバーを露出させたうえでスイッチレバーを操作する。そして、スイッチレバーの操作が終了すると、作業者は、カバーを下方（自重が作用する方向）に移動させて、スイッチレバーの前面を覆わせる。スイッチレバーの前面が覆われていれば、人や物がスイッチレバーと接触することを抑制できる。
【非特許文献１】http://www.fa.omron.co.jp/product/detail/304/index_p.html（平成１８年４月５日掲載）
【特許文献１】実開昭６０−３９５１９号公報
【発明の開示】
【発明が解決しようとする課題】
【０００５】
特許文献１に記載のスイッチの保護構造は、カバーが下方（自重が作用する方向）に移動することでスイッチレバーの前面を覆う構成である。したがって、作業者がスイッチレバーを操作している時（スイッチレバーに指等がかかっている状態の時）にカバーが自重によって落下して、作業者と接触してしまうことがある。
【０００６】
本発明は、こうした事情に鑑みてなされたものであり、その目的は、スイッチの誤動作及びスイッチ操作部の誤操作を防止するとともに、スイッチ操作部の操作時にカバーが落下して作業者と接触することがないカバー付きスイッチ及びカバーを提供することにある。
【課題を解決するための手段】
【０００７】
請求項１に記載の発明は、スイッチ操作部がスイッチ本体の上面に設けられたスイッチにカバーが取り付けられているカバー付スイッチであって、前記カバーは、前記スイッチ操作部を覆うことができる形状に形成されるとともに、前記カバーが前記スイッチ操作部を覆うカバー位置と、前記カバー位置より下方で前記スイッチ操作部を開放する開放位置とに移動可能に設けられており、前記カバー又は前記スイッチ本体の少なくともいずれか一方には、前記カバーを前記カバー位置と前記開放位置とに移動可能に案内するガイドが設けられていることを要旨とする。
【０００８】
この構成によれば、スイッチ操作部を操作する必要が無い時には、カバーをカバー位置に配置し、スイッチ操作部を操作する必要が生じた時には、カバーをカバー位置から下方へ移動させて、スイッチ操作部を開放させることができる。したがって、スイッチ操作部を操作する必要が無い時には、カバーによって人や物がスイッチ操作部と接触することを防止することで、スイッチ操作部が誤操作されることやスイッチが誤動作することを抑制することができる。
【０００９】
また、開放位置は、カバー位置より下方になるため、作業者がスイッチレバーを操作している最中にカバーが自重によってカバー位置へ移動することはない。したがって、作業者がスイッチ操作部を操作している際中に、カバーが落下して作業者と接触することはない。
【００１０】
請求項２に記載の発明は、請求項１に記載の発明において、前記カバーには、ガイド溝が設けられ、前記ガイドは、前記スイッチ本体に設けられ、前記ガイド溝は、前記ガイドが挿入された状態で、前記カバー位置と前記開放位置とに前記カバーを移動可能に形成されていることを要旨とする。
【００１１】
この構成によれば、スイッチ操作部を覆う位置やスイッチ操作部を開放する位置にカバーを移動させる時、ガイド溝がガイドに案内される状態でカバーを移動させることができる。
【００１２】
請求項３に記載の発明は、請求項２に記載の発明において、前記ガイドは、段付きボルトであることを要旨とする。
この構成によれば、段付きボルトと螺合するネジ穴の径が、ガイド溝の幅より小さい場合でも、段付きボルトにガイド溝の幅とほぼ同じ径の軸部を設けることで、段付きボルトをガイド溝にガタの少ない状態で挿通させることができる。したがって、カバーに形成されるガイド溝の幅が段付きボルトと螺合するネジ穴の径によって制約を受けることはない。
【００１３】
請求項４に記載の発明は、請求項１〜請求項３のいずれか一項に記載の発明において、前記カバーの断面が略コ字状に形成され、前記カバーの上端に設けられ前記カバーの内側に向かって突出する係合部を備え、前記係合部は前記スイッチ操作部と干渉しない位置に設けられ、かつ前記カバーを前記カバー位置と前記開放位置とに保持可能となっていることを要旨とする。
【００１４】
なお、「カバーの内側」とは、スイッチ操作部を覆っているカバーの側のことを意味する。この構成によれば、カバーは、係合部がスイッチ本体の上面に係合する状態で開放位置に保持される。その際に、係合部によってスイッチ操作部の操作が阻害されることはない。
【００１５】
請求項５に記載の発明は、請求項１〜請求項４のいずれか一項に記載の発明において、前記スイッチ本体は、光センサ、ボタンスイッチ、レバースイッチのいずれかによって構成されていることを要旨とする。
【００１６】
この構成によれば、スイッチ操作部を押し操作や引き操作等の一操作で操作することができる。したがって、ダイヤルスイッチの場合のように回動操作を行う場合に比べて、切り換え操作を容易に行うことができる。
【００１７】
請求項６に記載の発明は、請求項１〜請求項５のいずれか一項に記載の発明において、前記カバー部の内寸が、前記スイッチ本体の外寸と同じであることを要旨とする。
なお、「カバー部の内寸が、スイッチ本体の外寸と同じ」ということは、カバー部の大きさが、スイッチ本体の大きさと寸法公差の範囲内で相違するのみであることを意味するものである。この構成によれば、カバーが取り付けられたカバー付スイッチの大きさをスイッチ本体の大きさとほぼ同じにすることができる。したがって、スイッチにカバーが取り付けられたとしても、カバー付スイッチの占めるスペースをスイッチの場合とほとんど同じにすることができる。
【００１８】
請求項７に記載の発明は、スイッチ操作部が上面に設けられているスイッチに取り付けられるスイッチ用カバーであって、前記スイッチ操作部を覆うことができる形状に形成されたカバー部と、前記カバー部の一端に設けられ前記カバーの内側に向かって突出する係合部とを備え、前記カバー部には、前記スイッチに設けられているガイドが挿入可能なガイド溝が設けられ、前記ガイド溝は、カバーが前記スイッチに取り付けられた状態において、前記ガイドと係合した状態で、前記スイッチ操作部を覆うカバー位置と前記スイッチ操作部を開放する開放位置とに前記カバーを移動可能に形成されていることを要旨とする。
【００１９】
なお、「カバーの内側」とは、スイッチ操作部を覆っているカバーの側のことを意味する。この発明のスイッチ用カバーは、一端が上側になる状態でスイッチに取り付けられる。そして、スイッチ操作部を覆うカバー位置やスイッチ操作部を開放する開放位置にカバーを移動させる時、ガイド溝がガイドによってガイドされつつ、カバーを移動させることができる。カバーが開放位置に配置された状態では、係合部がスイッチの上面と係合する。
【００２０】
請求項８に記載の発明は、請求項７に記載の発明において、前記係合部は前記スイッチ操作部と干渉しない位置に設けられていることを要旨とする。
この構成によれば、カバーが開放位置に保持された際に、係合部によってスイッチ操作部の操作が阻害されることはない。
【発明の効果】
【００２１】
本発明によれば、スイッチの誤動作及びスイッチ操作部の誤操作を防止するとともに、スイッチ操作部の操作時にカバーが落下して作業者と接触することがない。
【発明を実施するための最良の形態】
【００２２】
以下、本発明を具体化した一実施形態を図１及び図２にしたがって説明する。
図１に示すように、カバー付スイッチ１は、スイッチ２とスイッチ２に取り付けられるカバー３とから構成される。スイッチ２は、オン／オフ信号を出力するスイッチ本体１０を備えるとともに、生産ラインに配備された図示しない製造装置に対して取り付けられている。スイッチ２には、スイッチ本体１０から上方へ向かって延び、中間部分で屈曲する屈曲板２０が設けられている。
【００２３】
スイッチ本体１０は、中空で直方体状のハウジング１１を備え、ハウジング１１は内部に図示しないスイッチ回路を収容している。なお、スイッチ回路は、オン／オフ信号を発生させることができる回路である。
【００２４】
ハウジング１１は、その両側部１１ａにガイドとしての段付きボルト１２が設けられている。また、ハウジング１１の上板部１１ｂの上には、押え板１３が取り付けられている。押え板１３には、ハウジング１１の幅方向（ハウジング１１の短手方向）に沿って延びる溝１３ａが形成されている。また、押え板１３の両端部１３ｂには、挿通孔１４が設けられている。
【００２５】
段付きボルト１２は、雄ネジ部１２ａと、中間部１２ｂと、頭部１２ｃとを備え、中間部１２ｂの軸径は、雄ネジ部１２ａの軸径より大きくかつ頭部１２ｃの軸径より小さくなるように構成されている。そして、雄ネジ部１２ａが、挿通孔１４に挿通されたうえでハウジング１１に設けられた図示しない雌ネジ部と螺合することで、段付きボルト１２はハウジング１１に取り付けられている。
【００２６】
図１に示すように、スイッチ本体１０の上面１０ａからはスイッチレバー３０が突出している。スイッチレバー３０は、溝１３ａを通過するとともに、通常、溝１３ａの左端部に位置している。スイッチレバー３０は、溝１３ａに沿って左右方向に移動可能に構成されており、作業者によって操作された時には、溝１３ａの左端部から溝１３ａの右端部に移動する。スイッチレバー３０が溝１３ａの左端部に位置する時、スイッチ本体１０はオフ信号を出力し、スイッチレバー３０が溝１３ａの右端部に位置する時、スイッチ本体１０はオン信号を出力する。
【００２７】
屈曲板２０は、ハウジング１１の上面１０ａから上方に向かって延びる背面板２１と、背面板２１からスイッチレバー３０側へ延びる天板２２とから構成されている。天板２２は、スイッチレバー３０の先端より上方に位置し、スイッチレバー３０の先端を覆うように設けられている。
【００２８】
スイッチ２に取り付けられるカバー３は、金属板を折り曲げることで形成されている。図１に示すように、カバー３は、その内寸がスイッチ本体１０の外寸と同じ大きさであるカバー部４０と、カバー部４０の上端から突出する係合部としての突片５０とから構成されている。なお、「カバー部４０の内寸が、スイッチ本体１０の外寸と同じ」ということは、カバー部４０の大きさが、スイッチ本体の大きさと寸法公差の範囲内で相違するのみであることを意味するものである。
【００２９】
カバー部４０は、スイッチレバー３０を覆うことができるように、図１において上方から見た場合において略コ字状（カバー部４０の短手方向断面が略コ字状）に形成されている。カバー部４０は、正面板４１と、一対の側面板４２とから構成されている。
【００３０】
側面板４２は、その外形がハウジング１１の両側部１１ａの外形とほぼ同じになるように形成されている。一対の側面板４２は、互いに平行であり、一対の側面板４２には、それぞれガイド溝４２ａが側面板４２の長手方向に沿うように、すなわち上下に延びるように形成されている。
【００３１】
ガイド溝４２ａは、段付きボルト１２の中間部１２ｂの直径よりわずかにその幅が大きくなるように形成されている。ガイド溝４２ａには、段付きボルト１２が挿入されている。ガイド溝４２ａは、一定の幅で形成されている。
【００３２】
突片５０は、カバー３の内側に向けて突設されており、側面板４２の延出方向と同じ方向へ突出している。突片５０は、一対設けられるとともに、カバー部４０の重量が作用しても屈曲しない程度の剛性を有している。一対の突片５０は、スイッチレバー３０と干渉しない程度の間隔をおいて配置されている。なお、「カバー３の内側」とは、スイッチレバー３０を覆っているカバー３の側のことを意味する。
【００３３】
次に前記のように構成されたカバー付スイッチ１の作用を説明する。
図２に示すように、作業者がスイッチレバー３０を操作しない時、カバー３は、突片５０が天板２２と係合した状態で取り付けられている。突片５０が天板２２と係合している時、カバー部４０はスイッチレバー３０の前面及び側面を覆っているカバー位置にあるため、スイッチレバー３０は外部から遮断される。即ち、スイッチレバー３０を操作する必要が無い時には、カバー部４０によってスイッチレバー３０の前面及び側面を覆うことで、人や物がスイッチレバー３０に接触することを防止できる。また、突片５０が天板２２と係合している時、段付きボルト１２の中間部１２ｂは、ガイド溝４２ａの下部に位置している。
【００３４】
そして、スイッチレバー３０を操作する時は、カバー３が開放位置に配置される。作業者は、正面板４１の上部をスイッチ２から離間するように傾けることで、突片５０と天板２２との係合を解除する。作業者は、突片５０と天板２２との係合を解除した後、カバー３を自重が作用する方向である下方にスライドさせる。この時、側面板４２に形成されたガイド溝４２ａは段付きボルト１２の中間部１２ｂと摺接し、カバー３は段付きボルト１２にガイドされてスライドする。そして、突片５０がスイッチ本体１０の上面１０ａに係合する位置までカバー３がスライドし、突片５０が上面１０ａに係合すると、スイッチレバー３０が開放されている状態である開放位置にカバー３が保持される。
【００３５】
この状態において、スイッチレバー３０は、一対の突片５０の間に位置するとともに外部に露出しているため、スイッチレバー３０の操作が可能になっている。そして、作業者は、スイッチレバー３０を溝１３ａの右端部に移動させることで、スイッチ本体１０からオン信号を出力させる。スイッチ本体１０からオン信号を出力させた後、作業者がスイッチレバー３０から手を離して、スイッチレバー３０に対して力を加えることをやめれば、スイッチレバー３０は自動的に溝１３ａの左端部に戻る。スイッチレバー３０が溝１３ａの左端部に戻ると、スイッチ本体１０は、オフ信号を出力する。その後、作業者は、スイッチレバー３０を操作する必要がなくなると、カバー３を自重の作用する方向とは反対の方向である上方にスライドさせ、突片５０を再び天板２２の上面に係合させる。
【００３６】
この実施形態では次の効果を得ることができる。
（１）カバー付スイッチ１は、スイッチ２とスイッチ２に取り付けられるカバー３とから構成されている。スイッチ２は、上面１０ａにスイッチレバー３０が設けられたスイッチ本体１０を備える。そして、カバー３は、スイッチレバー３０を覆うことができる形状に形成されたカバー部４０を備える。スイッチ本体１０には、スイッチレバー３０を覆う位置であるカバー位置と、スイッチレバー３０を開放する位置である開放位置とにカバー３を移動可能にするガイドとしての段付きボルト１２が設けられている。したがって、スイッチレバー３０の操作をする必要が無い時には、カバー３は、カバー部４０がスイッチレバー３０の前面を覆うカバー位置に位置し、人や物がスイッチレバー３０に接触することを防止することができる。人や物がスイッチレバー３０に接触することが防止されれば、スイッチレバー３０が誤操作されることやスイッチ２が誤動作することは抑制される。また、スイッチレバー３０の操作が可能になっている時、カバー３は開放位置に位置しているため、作業者がスイッチレバー３０を操作中にカバー３が落下して作業者と接触することはなくなる。
【００３７】
（２）カバー３は、段付きボルト１２がガイド溝４２ａに挿入された状態で取り付けられている。したがって、段付きボルト１２によりガイド溝４２ａがガイドされる状態でカバー３を移動させることができる。また、カバー３が移動しようとした場合、段付きボルト１２がガイド溝４２ａの形成されているカバー３の部分と当接してカバー３の移動を規制するため、カバー３がスイッチ２から外れることを抑制できる。
【００３８】
（３）段付きボルト１２は、カバー３をカバー位置と開放位置とに移動可能にするガイドとして用いられ、ガイド溝４２ａに挿入されている。カバー３をカバー位置と開放位置とに移動可能にするガイドとして段付きボルト１２を用いれば、ガイド溝４２ａの幅が、ハウジング１１に設けられている図示しない雌ネジ部の径より大きい場合でも、段付きボルト１２の一部である中間部１２ｂをガイド溝４２ａと対応する径にすることでガタを抑制することができる。したがって、カバー３に形成されるガイド溝４２ａの幅が雌ネジ部の径によって制約を受けることはない。
【００３９】
（４）カバー３は、カバー部４０の一端（上端）に設けられ内側に向かって突出する突片５０を備え、突片５０はスイッチレバー３０と干渉しない位置に設けられている。そして、突片５０がスイッチ本体１０の上面１０ａに係止（係合）された状態で、カバー３はスイッチレバー３０を開放させる開放位置に保持される。この時、スイッチレバー３０の操作が突片５０によって阻害されることはない。
【００４０】
（５）スイッチレバー３０が溝１３ａの左端部から溝１３ａの右端部に移動されることで、スイッチ本体１０はオン信号を出力する。したがって、オフ／オン信号の切り換え操作を手動による左から右への一操作で行うことができるため、切り換え操作が容易である。
【００４１】
（６）カバー部４０は、その内寸がスイッチ本体１０の外寸と同じである。したがって、スイッチ２にカバー３が取り付けられたとしても、カバー付スイッチ１の占めるスペースをスイッチ２の場合とほとんど同じにすることができる。
【００４２】
（７）天板２２は、スイッチレバー３０の先端を覆うように設けられている。したがって、上方から落下物がスイッチレバー３０に向かって落下してきたとしても、スイッチレバー３０と接触する前に、天板２２によってスイッチレバー３０を保護できるため、スイッチ２が誤動作したり、スイッチレバー３０が破損したりすることを抑制できる。
【００４３】
（８）突片５０は、カバー３がカバー位置にある時天板２２と係合し、カバー３をカバー位置に保持するとともに、カバー３が開放位置にある時スイッチ本体１０の上面１０ａと係合し、カバー３を開放位置に保持する保持手段として機能する。したがって、カバー３がカバー位置や開放位置に配置された時、作業者がカバー３を保持する必要はない。しかも、突片５０を天板２２やスイッチ本体１０の上面１０ａに係合させるだけでカバー３の位置を保持できるため、ボルトを締め付けることでカバー３を保持する場合に比べて、手間を省くことができる。
【００４４】
実施形態は、前記に限定されるものではなく、例えば、次のように具体化してもよい。
○  ガイドとしての段付きボルト１２に、カバー３の位置を保持する保持手段を兼用させてもよい。この場合、例えば、段付きボルト１２を締め付けることで、カバー３を段付きボルト１２の頭部１２ｃとスイッチ本体１０とによって挟持して、カバー３の位置を保持するようにすれば、段付きボルト１２を保持手段として機能させることができる。また、段付きボルト１２を保持手段として機能させた場合には、突片５０を省略してもよい。
【００４５】
○  カバー３を段付きボルト１２で固定しなくても、振動のある環境でカバー３がスイッチ２から外れるのを抑制する構成としてもよい。例えば、図３に示すように、ガイド溝６０を上下に延びる縦溝６１と、縦溝６１に連続するとともに正面板４１に向かうように水平（縦溝６１と垂直）に延びる複数（この実施形態では二つ）の上側横溝６２及び複数（この実施形態では二つ）の下側横溝６３とで構成されるように変更する。上側横溝６２と下側横溝６３は、同じ形状に形成されている。上側横溝６２を構成する二つの溝の間の距離は、下側横溝６３を構成する二つの溝の間の距離と等しい。そして、段付きボルト１２の代わりに、第１ガイドとしての第１ピン７０と第１ガイドより下方に位置する第２ガイドとしての第２ピン７１とを設ける。この構成では、上側横溝６２、下側横溝６３、第１ピン７０及び第２ピン７１が保持手段を構成する。
【００４６】
このように構成すれば、図３に実線で示すように、第１ピン７０及び第２ピン７１が上側横溝６２と当接する位置にカバー３を配置すると、カバー３は上下方向への移動も、回動も規制される。したがって、カバー３は開放位置で保持される。また、カバー位置にカバー３を配置する時には、図３に実線で示す状態から第１ピン７０及び第２ピン７１が縦溝６１と対応する位置までカバー３を水平にスライドさせた後、カバー３を上方へスライドさせる。そして、第１ピン７０及び第２ピン７１が下側横溝６３と対応する位置まで移動させた状態からカバー３を水平にスライドさせて、第１ピン７０及び第２ピン７１をカバー３の下側横溝６３と当接する状態に位置させる。この状態では、カバー３は、スイッチレバー３０を覆う位置で保持される（図３において二点鎖線で示す。）。なお、図３においては、スイッチ本体１０は、カバー３によって覆われているため図示していない。
【００４７】
○  スイッチ本体１０に設けられるガイドとしての段付きボルト１２に代えて、例えば、ピンや通常のボルトをガイドとして用いてもよい。通常のボルトをガイドとして用いる場合、ガイド溝４２ａの幅は、ボルトの軸径に合わせる必要がある。
【００４８】
○  スイッチ本体１０にガイドとしての段付きボルト１２を設ける代わりに、スイッチ本体１０にガイド溝を設けてもよい。この場合、カバー３が備える一対の側面板４２にはガイド溝４２ａに代えて一対の側面板４２の下部にガイドとしてのピンと、ピンを挿通可能な挿通孔を設ける。また、突片５０を天板２２の上面及びスイッチ本体１０の上面１０ａに係合させる。そして、挿通孔とガイド溝を一致させ、ピンを挿通孔とガイド溝に挿通することで、カバー３をスイッチ２に取り付ける。ピンをガイド溝に挿入することで、カバー３はスイッチ本体１０に対してスライド可能に構成される。ただし、スイッチ本体１０に設けるガイド溝は、スイッチ本体１０の剛性に影響を与えない程度の大きさにしなければならない。
【００４９】
○  スイッチ２をレバースイッチによって構成する代わりに、他のスイッチに変更して構成してもよい。例えば、スイッチ２をボタンスイッチや光センサによって構成してもよい。光センサをスイッチ２として構成する場合には、例えば、投受光式の光センサを用いる。そして、光センサが、投光部から出射した光を受光部で受光した時に、スイッチ本体１０からオフ信号を出力するように設定する。また、投光部から出射された光が受光部に到達するまでに遮られ、受光部が投光部から出射された光を受光できない時には、スイッチ本体１０からオン信号を出力するように設定する。このようにすれば、作業者は、手を伸ばして光を遮るだけで、オン／オフ信号の切り換え操作を行うことができる。
【００５０】
○  スイッチレバー３０に干渉しなければ、係合部としての突片５０の数については特に限定されない。突片５０を１つだけ設けてもよいし、３つ以上の複数個設けてもよい。ただし、突片５０は２つ設けた方が、保持された際にカバー３がガタつき難い。
【００５１】
○  スイッチ本体１０の上面と係合できるのであれば、係合部を突片５０ではなく他の部材に変更してもよい。例えば、係合部を鉤形状の突部や棒状の突部に変更してもよい。
○  突片５０の長さについては特に限定しない。突片５０の長さは、スイッチレバー３０に干渉しなければ、延長してもよいし、短縮してもよい。そして、屈曲板２０を省略した場合には、突片５０の長さを延長したうえで、突片５０の先端に折り曲げ部を追加することで、折り曲げ部がスイッチ本体１０の背面と係合するようにしてもよい。このようにすれば、段付きボルト１２やボルトで締め付けなくても、開放位置にカバー３を保持することができる。
【００５２】
○  突片５０を設ける位置を変更してもよい。カバー３をスライド移動させる際に支障の無い位置であれば、例えば、側面板４２の上端に突片５０を設けてもよい。
○  スイッチ本体１０が備えるハウジング１１が内部に収容するスイッチ回路は、オン／オフ信号を発生させることができるのであれば、どのような回路でもよい。
【００５３】
○  突片５０の下面又は／及び天板２２の上面にゴム等の摩擦材を設けてもよい。摩擦材により、突片５０と天板２２とを確実に係合させることができる。
以下の技術的思想は、前記実施形態から把握できる。
【００５４】
○  前記スイッチは、前記スイッチ操作部より上方に位置する天板を備え、前記保持手段は、前記カバーの上端に設けられるとともに前記天板と係合可能な係合部である請求項１に記載のカバー付スイッチ。
【００５５】
○  前記カバーには、ガイド溝が設けられるとともに、前記スイッチ本体には、ガイドが設けられ、前記ガイド溝は、上下に延びる縦溝と、前記縦溝に連続するとともに前記縦溝に対して垂直に延びる横溝とから構成され、前記横溝は、前記カバーの上側に形成されている複数の上側横溝と、前記上側横溝より下方に位置する複数の下側横溝とから構成され、前記ガイドとして、第１ガイドと前記第１ガイドより下方に位置する第２ガイドとを備え、前記カバーが前記カバー位置に配置された時に前記第１ガイド及び前記第２ガイドが前記下側横溝と当接し、前記カバーが前記開放位置に配置された時に前記第１ガイド及び前記第２ガイドが前記上側横溝に当接する請求項１に記載のカバー付スイッチ。
【００５６】
○  スイッチ操作部がスイッチ本体の上面に設けられたスイッチにカバーが取り付けられているカバー付スイッチであって、
前記カバーは、前記スイッチ操作部を覆うことができる形状に形成されるとともに、前記カバーが前記スイッチ操作部を覆うカバー位置と、前記カバー位置より下方で前記スイッチ操作部を開放する開放位置とに移動可能に設けられており、前記カバー又は前記スイッチ本体の少なくともいずれか一方には、前記カバーを前記カバー位置と前記開放位置とに移動可能にするガイドと、前記カバーを前記カバー位置と前記開放位置とに保持する保持手段とが設けられているカバー付きスイッチ。
【図面の簡単な説明】
【００５７】
【図１】本実施形態におけるカバー付スイッチの分解斜視図。
【図２】カバーがスイッチレバーを覆っている状態を示す斜視図。
【図３】別の実施形態におけるカバー付スイッチの側面図。
【図４】従来用いられているスイッチの斜視図。
【符号の説明】
【００５８】
１…カバー付スイッチ、２…スイッチ、３…カバー、１０…スイッチ本体、１０ａ…上面、１１…ハウジング、１２…ガイドとしての段付きボルト、１３ａ…溝、３０…スイッチ操作部としてのスイッチレバー、４０…カバー部、４２ａ，６０…ガイド溝、５０…係合部としての突片、６１…縦溝、６２…保持手段としての上側横溝、６３…保持手段としての下側横溝、７０…保持手段としての第１ピン、７１…保持手段としての第２ピン。
【図１】
2007305349.tif 000003
【図２】
2007305349.tif 000004
【図３】
2007305349.tif 000005
【図４】
2007305349.tif 000006